(57)【要約】【課題】台紙を真直ぐな状態に保持でき、カバーを使用しなくても、鋸、鞘、吊下ベルトを台紙に容易に脱落することなく確実にセットして保持することができる台紙と鋸鞘との取付構造の提供を課題とする。【解決手段】鋸鞘２０と台紙１０とを相互に嵌め合わせて固定するようにした台紙と鋸鞘との取付構造であって、台紙１０には嵌合穴を設け、鋸鞘２０の裏面には嵌合穴に丁度嵌り合うベース部２５ａを設け、これによりベース部２５ａが嵌合穴１１に嵌り込んだ状態において、鋸鞘２０の裏面が台紙１０の表面１０ａに沿った状態に載置されるよう構成し、且つ鋸３０を台紙１０の表面１０ａ側で鋸鞘２０に挿入するか若しくは吊下ベルト４０を裏面１０ｂ側で連結用部２５に連結することで、台紙１０と鋸鞘２０の離脱不能化を完了させる構成とした。【選択図】      図６
2013086810.tif 000002
【特許請求の範囲】
【請求項１】
鋸と該鋸の鋸刃を受け入れる鋸鞘と該鋸鞘の裏面に突出して配置される連結用部に対して着脱自在に連結される吊下ベルトとを、台紙と共にセットして販売するため、前記鋸鞘と台紙とを相互に嵌め合わせて固定するようにした、台紙と鋸鞘との取付構造であって、前記台紙には前記鋸鞘の連結用部を台紙の表面側から裏面側に挿通させることができる嵌合穴を設け、前記鋸鞘の裏面には、前記連結用部のベースとなるベース部を前記台紙の嵌合穴に丁度嵌り合う形状にして設け、これによって鋸鞘のベース部が前記嵌合穴に嵌り込んだ状態において、前記連結用部のベース部を除く鋸鞘の裏面が台紙の表面に沿った状態に載置されるようにし、且つ少なくとも、前記鋸を台紙の表面側で鋸鞘に挿入するか若しくは前記吊下ベルトを台紙の裏面側で連結用部に連結することで、台紙と鋸鞘との離脱不能化を完了させる構成としたことを特徴とする台紙と鋸鞘との取付構造。
【請求項２】
台紙の先端近くの側縁に折曲用片を突出して構成し、該折曲用片を折り曲げて前記鋸鞘の連結用部に連結された吊下ベルトに差し込むことで、吊下ベルトを台紙に沿った位置に保持する構成としたことを特徴とする請求項１に記載の台紙と鋸鞘との取付構造。
【請求項３】
台紙の末端近くには、鋸鞘の末端付近を台紙に紐結束するための一対の紐通穴を構成してあることを特徴とする請求項１又は２に記載の台紙と鋸鞘との取付構造。
【請求項４】
連結用部のベース部は、連結用部の基端側の部分を用いて、台紙の嵌合穴に丁度嵌り合う大きさに構成すると共に、該ベース部で前記鋸鞘の鋸受入口に設けられる鋸受入ガイド片を兼ねる構成としてあることを特徴とする請求項１〜３の何れかに記載の台紙と鋸鞘との取付構造。
【請求項５】
連結用部のベース部は、鋸鞘から立ち上がる連結用部の立ち上がり部とし、これによって台紙の嵌合穴に対して連結用部の全体が丁度嵌り合うと共に裏面側に突出する構成としてあることを特徴とする請求項１〜３の何れかに記載の台紙と鋸鞘との取付構造。
【発明の詳細な説明】
【技術分野】
【０００１】
本発明は台紙と鋸鞘との取付構造に関する。
【背景技術】
【０００２】
鋸等は包丁等に比べて比較的寸法が大きいことから、古くは、折畳鋸以外は鞘を付属させないことが多く、鋸の販売においても、鞘等のない鋸そのものを、ほぼそのままの状態で、或いは鋸刃の部分を台紙等による簡単な包装状態で、或いは高価な鋸については木枠のケース等に入れて販売することが一般的であった。
一方、近年においては、折畳鋸以外の鋸であっても鞘を付属させたものも多くなり、これらの鞘付鋸については、例えば厚紙等の台紙の上に鞘付鋸を配置し、更にその上をプラスチックケースで被ったような、いわゆるブリスターパックと称される包装体乃至包装容器を用いた販売が多くなされている。ブリスターパックでは、商品を透明のカバー体と台紙との間に収容して、陳列等に供するものであるが、透明カバー体とスライド台紙等との結合を強化するためにホッチキス針を用いて両者を綴じるようにしている。
【先行技術文献】
【特許文献】
【０００３】
【特許文献１】実開平２−９３２５８号公報
【特許文献２】特開２０００−１０９１５３号公報
【特許文献３】特開２００１−１８０７７６公報
【特許文献４】実開昭６３−９９８６２号公報
【発明の概要】
【発明が解決しようとする課題】
【０００４】
上記特許文献１は替刃式鋸の台紙兼用包装ケースに関し、表紙（１）の一部が切欠部（８）となって、握り柄（１０）の部分が包装の邪魔にならないようにした技術が開示されている。この特許文献１の発明では、鞘のいない鋸についての包装を構成するものであることから、台紙（ａ）の一部のみを切欠部（８）とするだけで、平坦な鋸刃が台紙（ａ）にきれいに接面した状態に包装することができる。
しかしながら、文献１において、鞘を付加し、刃部（９）を挿入した状態の鞘を台紙（ａ）の上に配置しようとした場合には、鞘は刃部（９）のようには平面ではなく立体的であることから、鞘と台紙（ａ）との接面性が悪くなる問題が生じる。特に、鞘の裏面等に吊下用のジョイント部やそのジョイントに連結される吊下げ紐を一緒に設備する鞘を用いる場合には、そのような鞘を台紙の上に安定して接面配置することが非常に難しくなり、また鞘が載せられる台紙（ａ）をきれいな平面状態に維持することが難しくなる。即ち、台紙（ａ）が折れ曲がったり、歪んだりする問題が生じる。台紙（ａ）を折れ曲がったり歪んだりすることなく保持することは、その台紙（ａ）に文字や図形等を印刷等して表示に供する上で非常に重要なことである。
更に文献１の場合、カバー部（ｃ）を一緒に用いない場合には、鋸（ｂ）は容易に台紙から離脱してしまう。即ち、台紙（ａ）が単なる添え板である特許文献１の発明では、カバー部Ｃが必須の要素となって、包装が成り立つことになる。
【０００５】
特許文献２は包装用ケースに関し、包丁（１３）の柄部（１９）に相当する部分に嵌入穴（２４）を設けた台紙（１２）と、凹所（２０、２１、２３）を設けた表裏のカバー（１４、１６）からなる包装用ケース（１１）とからなる構成が開示されている。しかしながら、この特許文献２の場合も特許文献１と同様に、包丁（１３）の刃部（２２）に鞘を取り付けたものを包装する包装構造を開示するものではない。特に、表面の凹凸が大きい鞘を取り付けた刃部（２２）を台紙（１２）上に配置するのに適した構造を開示するものではない。そして包丁（１３）は、台紙（１２）に対して単純に嵌り込んでいるだけであり、容易に台紙（１２）から離脱する状態であることから、包装用ケース（１１）が必須となる包装となっている。
特許文献３は包丁類の包装ケースに関し、第一の包装材（台紙）（５）の上には包丁（１）の刃体（２）だけを載せ、第二の包装材（６）でカバーをする構成が開示されている。
しかしながら、この特許文献３の場合も上記特許文献１の場合とほとんど同様に、凹凸の大きい鞘を取り付けた刃体（２）を包装するのに適したものではない。また第一の包装材（台紙）（５）には刃体（２）が単に載っているだけであり、第二の包装材（６）がなければ、包丁（１）を第一の包装材（５）に保持することができず、第二の包装材（６）が必須要素となり、部品点数、コストの問題がある。
特許文献４は車輪を備えた有輪玩具の包装用台紙に関し、台紙（１ａ）の一部に切込み（２）を入れ、切込み（２）部分をリング状に起立させて帯状保持部（３）とした構成が開示されている。この構成により、台紙（１ａ）上に載せた玩具（ａ）の車輪（６）を前記帯状保持部（３）に嵌め込むことで、玩具（ａ）を台紙（１ａ）上に保持するようにしている。
しかしながら、この特許文献４の発明では、台紙（１ａ）の一部に切込みを入れ、その部分を起立させる必要があることから、台紙（１ａ）が歪み易くなる欠点がある。加えて、玩具（ａ）の一部に台紙（１ａ）そのものを引っ掛けた構成となっているので、台紙（１ａ）が一層容易に歪み易いという問題が生じる。
【０００６】
そこで本発明は上記従来技術の問題を解消し、鋸を鞘付き、吊下ベルト付きのセットで販売するに際して、それら鋸、鞘、吊下ベルトを台紙上に容易にセットすることができ、且つ台紙が歪んだりすることなく真直ぐな状態で保持することができ、勿論、別にカバーを使用しなくても、それら鋸、鞘、吊下ベルトが台紙から容易に脱落してしまうことなく保持することができる、台紙と鋸鞘との取付構造の提供を課題とする。
【課題を解決するための手段】
【０００７】
上記課題を達成するため本発明の台紙と鋸鞘との取付構造は、鋸と該鋸の鋸刃を受け入れる鋸鞘と該鋸鞘の裏面に突出して配置される連結用部に対して着脱自在に連結される吊下ベルトとを、台紙と共にセットして販売するため、前記鋸鞘と台紙とを相互に嵌め合わせて固定するようにした、台紙と鋸鞘との取付構造であって、前記台紙には前記鋸鞘の連結用部を台紙の表面側から裏面側に挿通させることができる嵌合穴を設け、前記鋸鞘の裏面には、前記連結用部のベースとなるベース部を前記台紙の嵌合穴に丁度嵌り合う形状にして設け、これによって鋸鞘のベース部が前記嵌合穴に嵌り込んだ状態において、前記連結用部のベース部を除く鋸鞘の裏面が台紙の表面に沿った状態に載置されるようにし、且つ少なくとも、前記鋸を台紙の表面側で鋸鞘に挿入するか若しくは前記吊下ベルトを台紙の裏面側で連結用部に連結することで、台紙と鋸鞘との離脱不能化を完了させる構成としたことを第１の特徴としている。
また本発明の台紙と鋸鞘との取付構造は、上記第１の特徴に加えて、台紙の先端近くの側縁に折曲用片を突出して構成し、該折曲用片を折り曲げて前記鋸鞘の連結用部に連結された吊下ベルトに差し込むことで、吊下ベルトを台紙に沿った位置に保持する構成としたことを第２の特徴としている。
また本発明の台紙と鋸鞘との取付構造は、上記第１又は第２の特徴に加えて、台紙の末端近くには、鋸鞘の末端付近を台紙に紐結束するための一対の紐通穴を構成してあることを第３の特徴としている。
また本発明の台紙と鋸鞘との取付構造は、上記第１〜第３の何れかの特徴に加えて、連結用部のベース部は、連結用部の基端側の部分を用いて、台紙の嵌合穴に丁度嵌り合う大きさに構成すると共に、該ベース部で前記鋸鞘の鋸受入口に設けられる鋸受入ガイド片を兼ねる構成としてあることを第４の特徴としている。
また本発明の台紙と鋸鞘との取付構造は、上記第１〜第３の何れかの特徴に加えて、連結用部のベース部は、鋸鞘から立ち上がる連結用部の立ち上がり部とし、これによって台紙の嵌合穴に対して連結用部の全体が丁度嵌り合うと共に裏面側に突出する構成としてあることを第５の特徴としている。
【発明の効果】
【０００８】
請求項１に記載の台紙と鋸鞘との取付構造によれば、鋸鞘の裏面に突出して載置された連結用部が、台紙に設けられた嵌合穴から台紙の裏側に挿通され、その連結用部のベース部が前記台紙の嵌合穴に丁度嵌り合う。これによって、鋸鞘の裏面側突出部分である連結用部は台紙の裏面側に突出した状態となり、鋸鞘の残る裏面は台紙の表面に沿った状態となる。前記連結用部のベース部で台紙の嵌合穴に嵌り合っただけの状態では、容易に鋸鞘が台紙から外れることになる。しかしながら本発明では、少なくとも、前記台紙の裏側に出た連結用部に対して吊下ベルトが連結するか若しくは台紙の表側にある鋸鞘に対して鋸の鋸刃を挿入することにより、それら吊下ベルトや鋸が台紙の裏側や表側に沿った障壁となるようにしているので、結果として台紙と鋸鞘との離脱を阻止することができる。即ち、この状態では台紙と鋸鞘とが離脱不能化される。従って鋸鞘、鋸、吊下ベルトの全てを台紙にセットした形での販売を容易に行うことができる。
台紙に取り付けられた鋸鞘等の離脱は、鋸を鋸鞘から抜き出して離脱させるか若しくは吊下ベルトを鋸鞘の連結用部から外して離脱させ、或いは鋸と吊下ベルトの両方を離脱させることにより、鋸鞘と台紙との離脱を容易に行うことができる。
前記台紙は、その嵌合穴で鋸鞘の連結用部のベース部に嵌り合うものの、台紙に沿って配置された状態の鋸鞘からは大きな圧迫を受けることがないので、台紙が歪んだり変形したりするのを回避して、真直ぐな状態で保持することができる。
よって請求項１に記載の台紙と鋸鞘との取付構造によれば、鋸、鞘、吊下ベルトを台紙上に容易にセットすることができ、その状態で容易に販売することが可能となる。そして台紙が歪んだりすることなく真直ぐな状態で保持することができるので、見た目もよく、台紙上の印字、印刷が見難くなる等の問題も無くすことができる。またカバー等を併せて使用しなくても、鋸、鞘、吊下ベルトを台紙から容易に脱落してしまうことなく保持することができるので、部品点数の低減やコストの低減を図ることができる。勿論、ホッチキス針等の存在も無くすことができる。
【０００９】
また請求項２に記載の台紙と鋸鞘との取付構造によれば、上記請求項１に記載の構成による作用効果に加えて、台紙の先端近くの側縁に折曲用片を突出して構成し、該折曲用片を折り曲げて前記鋸鞘の連結用部に連結された吊下ベルトに差し込むことで、吊下ベルトを台紙に沿った位置に保持する構成としたので、
台紙に突出して設けた折曲用片を利用して、吊下ベルトを台紙の裏に沿った状態で、ブラブラすることなく維持することができる。よって、台紙を中心とした鋸鞘と吊下ベルトとのセット状態を一層安定した取り付け状態とすることができる。
【００１０】
また請求項３に記載の台紙と鋸鞘との取付構造によれば、上記請求項１又は２に記載の構成による作用効果に加えて、台紙の末端近くには、鋸鞘の末端付近を台紙に紐結束するための一対の紐通穴を構成してあるので、
必要に応じて鋸鞘の末端付近も確実に台紙に結束することができる。
【００１１】
また請求項４に記載の台紙と鋸鞘との取付構造によれば、上記請求項１〜３の何れかに記載の構成による作用効果に加えて、連結用部のベース部は、連結用部の基端側の部分を用いて、台紙の嵌合穴に丁度嵌り合う大きさに構成すると共に、該ベース部で前記鋸鞘の鋸受入口に設けられる鋸受入ガイド片を兼ねる構成としてあるので、
鋸受入ガイド片をベース部の成形に兼ねて構成することができ、作製が非常に容易となる。
また台紙の嵌合穴に嵌め合わされるベース部の位置が、鋸鞘の鋸受入口の付近となるので、鋸鞘に連結される吊下ベルトと鋸鞘に挿入される鋸のグリップ部とが、嵌合穴の表裏の同様な位置で且つ同方向に並んで配置されることになる。よってこのためグリップ部と吊下ベルトとは、台紙の両側にあって鋸鞘と台紙との離脱を妨げる十分な障壁となることができる。その結果、他の特別な離脱防止手段を用いることなく、鋸、鋸鞘、吊下ベルトを相互に離脱させることなく台紙にセットすることができる。
【００１２】
また請求項５に記載の台紙と鋸鞘との取付構造によれば、上記請求項１〜３の何れかに記載の構成による作用効果に加えて、連結用部のベース部は、鋸鞘から立ち上がる連結用部の立ち上がり部とし、これによって台紙の嵌合穴に対して連結用部の全体が丁度嵌り合うと共に裏面側に突出する構成としてあるので、
ベース部が連結用部自身の立ち上がり部であるので、ベース部の作製が非常に容易である。また台紙の嵌合穴も連結用部の形状に合わせればよいので、設計を要することなく、簡単に作成できる。勿論、台紙との離脱不能化は、鋸若しくは吊下ベルト、或いはその両方を鋸鞘にセットすることで達成することができる。
【図面の簡単な説明】
【００１３】
【図１】本発明の実施形態に用いる台紙の表面側を示す図である。
【図２】本発明の実施形態に用いる台紙の裏面側を示す図である。
【図３】本発明の実施形態に用いる鋸鞘とそれに組み合わされる鋸、吊下ベルトの表面側を示す図である。
【図４】本発明の実施形態に用いる鋸鞘とそれに組み合わされる鋸、吊下ベルトの裏面側を示す図である。
【図５】本発明の実施形態に用いる鋸鞘とそれに組み合わされる鋸、吊下ベルトの平面を示す図である。
【図６】本発明の実施形態に用いる台紙とそれに取り付けられた鋸鞘と吊下ベルトと鋸との状態を示す平面図である。
【図７】本発明の実施形態に用いる台紙とそれに取り付けられた鋸鞘の裏面側を示す図である。
【図８】本発明の実施形態に用いる台紙とそれに取り付けられた鋸鞘の表面側を示す図である。
【図９】本発明の実施形態に用いる台紙とそれに取り付けられた鋸鞘及び吊下ベルトの裏面側を示す図である。
【図１０】本発明の実施形態に用いる台紙とそれに取り付けられた鋸鞘及び鋸の表面側を示す図である。
【図１１】本発明の実施形態に係り、折曲用片を折り曲げて吊下ベルトを挟持した状態を示す台紙の裏面側を示す図である。
【発明を実施するための形態】
【００１４】
先ず図１、２を参照して、本発明実施形態に係る台紙と鋸鞘との取付構造には台紙１０が用いられる。
また図３〜５を参照して、前記台紙１０に取り付けられることになる鋸鞘２０、該鋸鞘２０に組み合わされる鋸３０、及び吊下ベルト４０が用いられる。
【００１５】
前記台紙１０は、直接的には前記鋸鞘２０と嵌め合わされるものである。
台紙１０は、その面積内に鋸鞘２０と該鋸鞘２０に組み合わされる鋸３０と吊下ベルト４０とが収容、配置されるように、全体として細長い形状に形成されている。
台紙１０は、例えばボール紙のような厚紙の他、プラスチックシートを材料とすることができる。この台紙１０の表面１０ａや裏面１０ｂには、文字や図形等を印刷することができる。
台紙１０には、その中央付近より少し前方あたりに嵌合穴１１を設けている。この嵌合穴１１は後述する鋸鞘２０の連結用部２５のベース部２５ａを嵌め込むための穴である。
台紙１０の先端付近には陳列用穴１２を設けている。この陳列用穴１２は陳列用の吊紐を通す穴である。
更に台紙１０には、その先端付近の側縁に折曲用片１３を突出して設けている。折曲用片１３は吊下ベルト４０を保持するためのものである。
なお、台紙１０の末端付近には一対の紐通穴１４を設けることができる。この一対の紐通穴１４は、必要に応じて、これを用いて紐を通し、鋸鞘２０の末端付近を台紙１０に結束できるようにするものである。
【００１６】
前記鋸鞘２０は鞘本体２１を主たる構成としている。この鞘本体２１は扁平な細長い形をしており、その中に鋸３０の刃部を受け入れる。
鞘本体２１の基端側には鋸受入口２２が設けられている。この鋸受入口２２には、鋸刃を侵入させる際のガイトとなる一対の鋸受入ガイド片２３、２４を、鞘本体２１の長手方向に突出した状態に設けている。
鋸鞘２０の裏面には連結用部２５を突出して配置している。この連結用部２５は吊下ベルト４０を着脱自在に連結するための部材である。
連結用部２５は、その基端側の一部をベース部２５ａとし、そのベース部２５ａに対して回転自在に取り付けられる。連結用部２５の先端部は吊下ベルト４０とのジョイント部２５ｂとなっている。勿論、前記連結用部２５はベース部２５ａに対して回転自在である必要はない。
【００１７】
前記鋸鞘２０のベース部２５ａは、鋸鞘２０の裏面に突出して形成される部分で、上記台紙１０の嵌合穴１１に丁度嵌り合う形状としている。
ベース部２５ａは、前記鋸鞘２０の鋸受入口２２に設けられた鋸受入ガイド片２３、２４のうち、裏面側に設けた鋸受入ガイド片２４を兼ねる構成とされている。即ち、言い替えると、鋸受入ガイド片２４の裏面側の厚みを増加させた状態にしてベース部２５ａを構成し、且つこのベース部２５ａが台紙１０の嵌合穴１１と同形状となって鋸鞘２０の裏面に突出するように構成している。
【００１８】
鋸鞘２０には、その他に、鋸３０の差し入れを案内する案内ロール２６、紐通し２７が設けられている。
【００１９】
前記鋸３０は、図示しない刃部（鋸刃）とグリップ部３１とを有する。刃部は鋸鞘２０の中に収容される。一方、グリップ部３１は鋸鞘２０内には収容されることなく、その鋸受入口２２から食み出た状態に維持される。グリップ部３１を手で持ち、これを差し抜くことで、鋸３０を鋸鞘２０から抜き出し、使用に供することができる。
【００２０】
前記吊下ベルト４０は、ベルト部４１とジョイント部４２とからなる。ジョイント部４２は前記鋸鞘２０の連結用部２５のジョイント部２５ｂと着脱自在に連結される部分である。またベルト部４１は、帯状の輪に構成され、作業者の腰ベルト等に通すことができるようになされている。
前記ベルト部４１の先端近くには、金輪を用いたリング穴４３が設けられている。このリング穴４３に紐やチェーン等の連結手段を通すことで、作業者の腰ベルト等に吊下ベルト４０を取り付けることができる。
【００２１】
図６〜図１１も参照して、次に台紙１０と鋸鞘２０の取付構造について、鋸３０及び吊下ベルト４０を含めて、更に説明する。
【００２２】
図７、図８を参照して、取り付けは、先ず鋸鞘２０の連結用部２５を台紙１０の表面１０ａから嵌合穴１１を通して裏面１０ｂ側に出すと共に、鋸鞘２０の連結用部２５のベース部２５ａを台紙１０の嵌合穴１１に嵌め合わす。この状態で台紙１０の裏面１０ｂ側の状態は、図７に示すようになる。また台紙１０の表面１０ａ側の状態は、図８に示すようになる。
台紙１０の嵌合穴１１の大きさは、その嵌合穴１１を通って鋸鞘２０の連結用部２５が台紙１０の裏面１０ｂ側に出ることができる大きさとする必要がある。このため本実施形態では、嵌合穴１１の円の大きさを連結用部２５のベース部２５ａの大きさとすると共に、台紙１０の長手方向に少し間延びした形状、いわゆる卵形状としている。これによって連結用部２５のジョイント部２５ｂまでが嵌合穴１１を通過することが可能となる。
なお、嵌合穴１１は必ずしも円形である必要はない。
一方、前記台紙１０の嵌合穴１１の穴形状とベース部２５ａの外形状とは同じ形状にされている。これによって、鋸鞘２０の裏面に突出して形成されたベース部２５ａが丁度嵌合穴１１に嵌り合うことになる。即ち、このような構成では、ベース部２５ａが嵌合穴１１に丁度嵌り込んだ状態となり、且つ鋸鞘２０の鞘本体２１は台紙１０の表面１０ａ側に略接面状態に沿い、一方の鋸鞘２０の連結用部２５は台紙１０の裏面１０ｂ側に略接面状態となって沿う。
従って台紙１０は、嵌合穴１１にベース部２５ａで嵌り合うものの、台紙１０の表面１０ａ側の鞘本体２１及び裏面１０ｂ側の連結用部２５が少なくとも強く接触することはなく、よって台紙１０がそれら鞘本体２１、連結用部２５から圧迫や変形圧力を受けるのを回避することができる。よって台紙１０が歪んだり、曲がったり、或いは傷が付くのを最小限に抑制した状態でのセット商品を提供することが可能となる。
【００２３】
図９、図１０を参照して、上記鋸鞘２０のベース部２５ａを台紙１０の嵌合穴１１へ嵌め合わせる作業が修了すると、台紙１０の裏面１０ｂ側では吊下ベルト４０を鋸鞘２０の連結用部２５に連結する。これにより吊下ベルト４０の鋸鞘２０及び台紙１０へのセットが完了する。また台紙１０の表面１０ａ側では、鋸３０を鋸鞘２０の鋸本体２１に差し入れる。これにより鋸３０の鋸鞘２０及び台紙１０へのセットが完了する。
前記吊下ベルト４０と鋸鞘２０の連結用部２５との連結は、図７に独立体として示される吊下ベルト４０を参照して、そのジョイント部４２を連結用部２５のジョイント部２５ｂに差し込むことで完了する。
吊下ベルト４０が連結用部２５に連結、セットされることで、台紙１０の裏面１０ｂ側では吊下ベルト４０の存在が障壁となって、台紙１０の嵌合穴１１から鋸鞘２０のベース部２５ａ及び連結用部２５の抜け出しが阻止される。即ち、鋸鞘２０が台紙１０から簡単に外れるのが防止される。
一方、前記鋸３０が台紙１０の表面１０ａ側で鋸鞘２０に差し込まれることにより、鋸鞘２０の鋸受入口２２から突出するグリップ部３１が、台紙１０の表面１０ａ側で、該表面１０ａに略平行に、且つ前記吊下ベルト４０の方向と同じ長手方向に並んで配置されることになる。よってこのためグリップ部３０は、台紙１０の表面１０ａ側において、鋸鞘２０と台紙１０との離脱不能化をなす障壁となる。その結果、他の特別な離脱防止手段を用いることなく、台紙１０と鋸鞘２０、更に鋸３０、吊下ベルト４０も加えて、それらを台紙１０に安定した状態でセットすることができる。
ただし、台紙１０と鋸鞘２０との離脱不能化は、吊下ベルト４０を連結用部２５に取り付けるだけで達成できるようにしてもよいし、若しくは鋸３０を鋸鞘２０に差し込むことで達成できるように構成してもよい。或いは吊下ベルト４０と鋸３０を台紙１０の両側から取り付けることで、離脱不能となるように構成してもよい。本発明は、このような各場合を、その範囲に含むものとする。
【００２４】
前記台紙１０とそれに取り付けられた鋸鞘２０と鋸３０と吊下ベルト４０との状態を示す平面図を図６に示す。図６から明白なように、台紙１０を境にして、鞘本体２１と鋸３０が台紙１０の表面１０ａ側に、連結用部２５と吊下ベルト４０が台紙１０の裏面１０ｂ側にきれいに分かれて整列配置されている。このため、台紙１０に対する曲げ応力や捻り応力、その他の歪応力が加わるのを十分に軽減することができる。
【００２５】
図１１を参照して、吊下ベルト４０の鋸鞘２０及び台紙１０への取り付け、セットは、台紙１０に設けた折曲用片１３を用いて、より確実にすることができる。
即ち、折曲用片１３を台紙１０の側縁に沿って折り曲げ、吊下ベルト４０のベルト間に挿入することで、吊下ベルト４０がブラブラ垂れ下がるようなことなく、台紙１０の裏面１０ｂに沿った状態に保持することができる。よって、吊下ベルト４０を含めた鋸鞘２０のセット状態での安定性が増す。
【００２６】
なお、台紙１０に設けた紐通穴１４を用いて、結束紐で鋸鞘２０の末端付近を台紙１０に結束するようにすれば、更に鋸鞘２０の台紙１０へのセット状態を安定させることができる。しかし、この場合は結束紐が必要となる。代わりに、鋸鞘２０の末端付近を収容することができるポケットを台紙１０に構成することも可能である。この場合には結束紐による結束作業は不要となる。また台紙１０とは異材料である結束紐を使用する必要がない。
また本実形態では、プラスチック製等によるカバーやそれを台紙１０に止めるホッチキス針を使用することなく、鞘付き鋸一式を台紙１０にセットして販売することが可能であるので、部品点数の軽減と共に、ごみの回収等において好ましくない異材料の使用を減ずることができる。
【００２７】
なお、上記において説明した実施形態においては、連結用部２５のベース部２５ａを連結用部２５の一部として構成した。しかし、連結用部２５そのものがベース部２５ａを兼ねるようにしてもよい。即ち、鋸鞘２０から立ち上がる連結用部２５の立ち上がり部をベース部２５ａとする。この場合、ベース部２５ａの外形は連結用部２５からの立ち上がり面形状（連結用部２５の外周形状）と同じとなり、また台紙１０の嵌合穴１１も連結用部２５の外周形状と同じとなる。即ち、台紙１０の嵌合穴１１に連結用部２５の全体がそのまま丁度嵌合することになる。ただし、連結用部２５の厚みは台紙１０の厚みより厚く、台紙１０の裏面１０ｂから突出する。本発明はこのような連結用部２５のベース部２５ａと台紙１０の嵌合穴１１との構成もその範囲内に含むものとする。
【符号の説明】
【００２８】
１０      台紙
１０ａ    表面
１０ｂ    裏面
１１      嵌合穴
１２      陳列用穴
１３      折曲用片
１４      紐通穴
２０      鋸鞘
２１      鞘本体
２２      鋸受入口
２３      鋸受入ガイド片
２４      鋸受入ガイド片
２５      連結用部
２５ａ    ベース部
２５ｂ    ジョイント部
２６      案内ロール
２７      紐通し
３０      鋸
３１      グリップ部
４０      吊下ベルト
４１      ベルト部
４２      ジョイント部
４３      リング穴
【図１】
2013086810.tif 000003
【図２】
2013086810.tif 000004
【図３】
2013086810.tif 000005
【図４】
2013086810.tif 000006
【図５】
2013086810.tif 000007
【図６】
2013086810.tif 000008
【図７】
2013086810.tif 000009
【図８】
2013086810.tif 000010
【図９】
2013086810.tif 000011
【図１０】
2013086810.tif 000012
【図１１】
2013086810.tif 000013